(57)【要約】【課題】容易に施工できるにもかかわらず、止め具をピン軸に確実に止めることができ、部材間の寸法を略一定に保持することができるピン軸結合構造を提供する。【解決手段】複数の部材１３にピン軸１８を貫通し、ピン軸１８の端部に止め具２１を圧入して複数の部材１３を結合するピン軸結合構造において、ピン軸１８は、少なくとも一端に、一端の部材１３に軸心方向の内側から略当接される段部２３と、段部２３を介して軸心方向の先端に設けられ且つ止め具２１が圧入される細軸部２４とを備え、止め具２１は、ピン軸１８の先端を覆うキャップ部３０と、一端の部材１３に軸心方向の外側から略当接される当接部３２と、径方向の内向きに突設された周方向に複数の係合片３３とを備え、細軸部２４に、係合片３３が係合する周方向の係合溝２５を形成したものである。【選択図】  図３
2004190797.tif 000002
【特許請求の範囲】
【請求項１】
複数の部材（１３）（１５）（１６）（２０）（５８）（５９）（６１）にピン軸（１８）（１９）（５２）（６０）を貫通し、該ピン軸（１８）（１９）（５２）（６０）の端部に止め具（２１）（４８）を圧入して前記複数の部材（１３）（１５）（１６）（２０）（５８）（５９）（６１）を結合するピン軸結合構造において、前記ピン軸（１８）（１９）（５２）（６０）は、少なくとも一端に、該一端の部材（１３）（１６）（５８）に軸心方向の内側から略当接される段部（２３）（３８）と、該段部（２３）（３８）を介して軸心方向の先端に設けられ且つ前記止め具（２１）（４８）が圧入される細軸部（２４）（４０）とを備え、前記止め具（２１）（４８）は、前記ピン軸（１８）（１９）（５２）（６０）の軸心方向の先端を外側から覆うキャップ部（３０）（４９）と、前記一端の部材（１３）（１６）（５８）に軸心方向の外側から略当接される当接部（３２）（５０）と、径方向の内向きに突設された周方向に複数の係合片（３３）（５１）とを備え、前記細軸部（２４）（４０）に、前記係合片（３３）（５１）が係合する周方向の係合溝（２５）（４２）を形成したことを特徴とするピン軸結合構造。
【発明の詳細な説明】
【０００１】
【発明の属する技術分野】
本発明は、門扉、フェンス、カーポート等のエクステリア製品を含む各種屋外構造物、その他の各種構造物に使用するピン軸結合構造に関するものである。
【０００２】
【従来の技術】
従来、伸縮門扉の縦桟、傾斜リンク、スペーサー等の複数の部材をピン軸により結合するピン軸結合構造には、ピン軸と端部の部材とをリベットにより固定したものがある。（例えば特許文献１）
このピン軸結合構造は、一対の傾斜リンク及び複数のスペーサーに貫通された固定ピン軸の両端を、軸心方向の両側の縦桟の外側の壁部に内側から当接し、固定ピン軸と縦桟とをその壁部の外側からリベットにより固定している。
【０００３】
また他のピン軸結合構造としては、一対の縦桟、一対の傾斜リンクに固定ピン軸を貫通し、固定ピン軸の端部に止め具を圧入して、縦桟及び傾斜リンクを結合したものがある。（例えば特許文献２）
止め具は、固定ピン軸の端部を外側から覆うキャップ部と、縦桟に外側から当接される当接部と、固定ピン軸の外周に当接状に係合する係合片とを備え、固定ピン軸の軸心方向の外側への縦桟の移動を規制するようになっている。
【０００４】
また、一対の縦桟を結合する連結ピン軸には、両縦桟間にスペーサーが套嵌されており、このスペーサーにより縦桟の軸心方向の内側への移動を規制するようになっている。
【０００５】
【特許文献１】
特開平１０−１３１６４９号公報
【特許文献２】
実開昭５７−１５７６９７号公報
【０００６】
【発明が解決しようとする課題】
固定ピン軸と縦桟とをリベットにより固定したものは、縦桟間の寸法を固定ピン軸の長さで一定に保持することができるものの、リベットが縦桟の外側に露出してしまい、見栄えが悪くなる。また、リベットを打つための治具等が必要であり、施工が煩雑である。
【０００７】
一方、ピン軸の先端に止め具を圧入するようにしたものは、簡単に施工できる利点がある。また、縦桟間で連結ピン軸にスペーサーを套嵌しているので、縦桟間がその寸法よりも狭くならないように規制することもできる。
【０００８】
しかし、ピン軸が軸心方向の全体で同径に構成されており、止め具の係合片とピン軸の外面とが強固に係合できないため、止め具がピン軸の先端側に移動し易く、またピン軸から脱落し易い。
【０００９】
そのうえ、スペーサーは連結ピン軸に套嵌されているだけで、連結ピン軸と縦桟との相対移動を規制できないので、門扉の開閉の繰り返しにより、又は大きな外力が作用した際に、縦桟と連結ピン軸とが止め具の規制に逆らって相対移動してしまう。このため、縦桟にガタツキが生じ、前後の縦桟間の寸法が一定に定まらないという問題がある。
【００１０】
また、このピン軸結合構造を一対の傾斜リンクを結合する遊動ピン軸の結合構造に適用した場合にも、同様の理由により、止め具のズレ、脱落等が生じ易く、一対の傾斜リンク間の寸法が一定に定まらず、ガタツキが発生してしまう。
【００１１】
本発明は、このような従来の問題点に鑑み、容易に施工できるにもかかわらず、止め具をピン軸に確実に止めることができ、しかも、部材間の寸法を略一定に保持することができるピン軸結合構造を提供することを目的とする。
【００１２】
【課題を解決するための手段】
本発明は、複数の部材１３，１５，１６，２０，５８，５９，６１にピン軸１８，１９，５２，６０を貫通し、該ピン軸１８，１９，５２，６０の端部に止め具２１，４８を圧入して前記複数の部材１３，１５，１６，２０，５８，５９，６１を結合するピン軸結合構造において、前記ピン軸１８，１９，５２，６０は、少なくとも一端に、該一端の部材１３，１６，５８に軸心方向の内側から略当接される段部２３，３８と、該段部２３，３８を介して軸心方向の先端に設けられ且つ前記止め具２１，４８が圧入される細軸部２４，４０とを備え、前記止め具２１，４８は、前記ピン軸１８，１９，５２，６０の軸心方向の先端を外側から覆うキャップ部３０，４９と、前記一端の部材１３，１６，５８に軸心方向の外側から略当接される当接部３２，５０と、径方向の内向きに突設された周方向に複数の係合片３３，５１とを備え、前記細軸部２４，４０に、前記係合片３３，５１が係合する周方向の係合溝２５，４２を形成したものである。
【００１３】
【発明の実施の形態】
以下、本発明の実施形態を図面に基づいて詳述する。図１〜図７は本発明を伸縮門扉に適用した第１の実施形態を例示している。
【００１４】
この伸縮門扉は、図１に示すように、出入り口１等の左右両側で地面２に立設された吊り元側支柱３及び戸当たり側支柱４と、これら両支柱３，４間に左右方向に伸縮自在に配置され且つ一端側が吊り元側支柱３に取り付けられた扉体５とを備えている。
【００１５】
扉体５は、左右方向に伸縮自在に構成されたパンタグラフ機構６と、このパンタグラフ機構６の一端側に上下方向に配置された吊り元側端枠７と、パンタグラフ機構６の他端側に上下方向に配置された戸当たり側端枠８と、両端枠７，８間に上下方向に配置された複数個の縦枠材９とを備えている。
【００１６】
吊り元側端枠７は扉体５を吊り元側支柱３の背後等に旋回収容できるように、吊り元側支柱３に対して縦方向のヒンジ１０廻りに回動自在に装着されている。戸当たり側端枠８は、把手１１、施錠手段１２等を備え、戸当たり側支柱４に当接した閉状態で施錠手段１２により施錠可能である。吊り元側支柱３、戸当たり側支柱４及び縦枠材９は、パンタグラフ機構６の前後両側に上下方向に配置された前後一対の縦桟１３と、この縦桟１３の上側を前後に連結する連結部１４とを備えた側面視略逆Ｕ字状であって、その縦桟１３の下端部が前後方向の連結部材（図示略）により連結され、これらの内部にパンタグラフ機構６が配置されている。
【００１７】
パンタグラフ機構６は、交差部１７で交差する複数本の右上がり傾斜リンク１５と左上がり傾斜リンク１６とを備えている。縦枠材９は、傾斜リンク１５，１６の交差部１７が上下に３カ所ある位置に対応して設けられている。また各端枠７，８も、上下方向の中央の交差部１７を含み上下に３カ所で傾斜リンク１５，１６と交差するようになっている。そして、それら３カ所の例えば一番下側で、縦枠材９又は端枠７，８と傾斜リンク１５，１６とが固定ピン軸１８により上下方向に移動不能に結合されている。また、その他の２カ所で、傾斜リンク１５，１６が可動ピン軸（図示略）により結合されると共に、この可動ピン軸が縦枠材９又は端枠７，８に上下動自在に支持されている。なお、可動ピン軸に関しては公知技術を使用しているため詳しい説明は省略する。
【００１８】
また傾斜リンク１５，１６は、各縦枠材９間及び両端の縦枠材９と端枠７，８との中間に、上下に２カ所の交差部１７を有しており、例えばその下側の交差部１７で一対の傾斜リンク１５，１６が遊動ピン軸１９により結合されている。なお、両端の縦枠材９と端枠７，８との間では、上側の交差部１７でも一対の傾斜リンク１５，１６が遊動ピン軸１９により結合されている。
【００１９】
図２〜図４は、本実施形態の固定ピン軸１８の結合構造を例示している。この固定ピン軸１８の結合構造は、複数の部材としての縦桟１３、傾斜リンク１５，１６及びスペーサー２０を結合するもので、軸心方向の外側の一対の縦桟１３と、内側の一対の傾斜リンク１５，１６と、それら各々の間に介在された複数のスペーサー２０とに固定ピン軸１８を貫通し、この固定ピン軸１８の両端に止め具２１を圧入したものである。
【００２０】
固定ピン軸１８は、全長にわたって略同径に構成された中間部分の軸本体２２と、この軸本体２２の両端に形成され且つ各縦桟１３に軸心方向の内側から当接される段部２３と、この段部２３を介して軸心方向の両端に設けられ且つ止め具２１が先端側から圧入される細軸部２４とを一体に備え、この細軸部２４に、 止め具２１の係合片３３（後述）が係合する周方向の係合溝２５が形成されている。また細軸部２４の先端には、止め具２１を圧入し易いように、先細り状のテーパー部２６が形成されている。
【００２１】
軸本体２２は、両縦桟１３の軸心方向の外側の壁部２８間に丁度対応する寸法に構成されており、傾斜リンク１５，１６及びスペーサー２０に貫通されている。なお、傾斜リンク１５，１６が固定ピン軸１８廻りに回転できるように、傾斜リンク１５，１６及びスペーサー２０は適宜なクリアランスをもって設けられている。傾斜リンク１５，１６は、例えば断面略矩形状の中空材により構成されているが、その形状は適宜変更可能である。
【００２２】
各縦桟１３は、固定ピン軸１８の軸心方向の内側に開放する断面略コ字状に構成され、その開口２７と反対側の壁部２８に固定ピン軸１８の細軸部２４が貫通されると共に、その壁部２８に固定ピン軸１８の段部２３が軸心方向の内側から当接されている。なお、段部２３は固定ピン軸１８の軸心方向に対して略直交する平面状に構成されている。
【００２３】
また縦桟１３には、開口２７と反対側の壁部２８の内側に上下方向の略全長にわたって補強用のリブ２９が２条形成されており、このリブ２９の間に軸本体２２の端部が丁度嵌合するようになっている。
【００２４】
止め具２１は、図３及び図５に示すように、固定ピン軸１８の細軸部２４の先端を軸心方向の外側から覆うキャップ部３０と、縦桟１３の開口２７と反対側の壁部２８にワッシャー３１を介して間接的に外側から当接される当接部３２と、細軸部２４の係合溝２５に係合される係合片３３とを備えている。なお、当接部３２は、ワッシャー３１を介さずに直接縦桟１３に当接させても良い。
【００２５】
キャップ部３０は例えば固定ピン軸１８と反対側に湾曲状に突出する皿形状に構成され、その縁部に、当接部３２の外周に一体に形成された固定部３４が径方向の内側から固定されている。当接部３２は、例えば固定ピン軸１８の軸心方向に略直交する平面部を有するリング状で、キャップ部３０の径方向の内側に設けられ、内周から径方向の内側向きに係合片３３が一体に突設されている。係合片３３は、周方向に複数、例えば等間隔をおいて６個あり、径方向の内側向き且つ固定ピン軸１８の先端向きの斜め向きに当接部３２に対して屈曲状に設けられ、その先端が係合溝２５の先端側の隅に係合するようになっている。
【００２６】
キャップ部３０は例えばステンレス鋼により構成され、当接部３２及び係合片３３は係合片３３が弾性変形できるようにバネ用鋼により構成されているが、止め具２１全体を一体に形成しても良いし、その場合に例えば適度に弾性を有する合成樹脂材料等により構成しても良い。
【００２７】
係合溝２５は、止め具２１の当接部３２が縦桟１３に当接した状態で係合片３３が係合できるように、段部２３から所定寸法ａだけおいた位置に、細軸部２４を１周するように周方向に連続状に形成されている。この係合溝２５と係合片３３との係合により、固定ピン軸１８に対する止め具２１の軸心方向の移動を規制するようになっている。
【００２８】
当接部３２は係合片３３の弾性により縦桟１３に圧接し、段部２３と共に縦桟１３の壁部２８を挟み込むようになっている。なお、所定寸法ａは、例えばワッシャー３１を介在する場合には、縦桟１３の壁部２８の厚みとワッシャー３１の厚みとの和と同程度、又は若干大きい程度となっている。
【００２９】
図６及び図７は、本実施形態の遊動ピン軸１９の結合構造を例示している。この遊動ピン軸１９の結合構造は、複数の部材としての傾斜リンク１５，１６及びスペーサー２０を結合するもので、軸心方向の外側の一対の傾斜リンク１５，１６と、その間に介在されたスペーサー２０とに遊動ピン軸１９を貫通し、この遊動ピン軸１９の両端に止め具２１を圧入したものである。なお、止め具２１は、固定ピン軸１８の結合構造と同一のものを使用している。
【００３０】
遊動ピン軸１９は、略全長にわたって略同径に構成された中間部分の軸本体３７と、この軸本体３７の両端に形成された段部３８，３９と、この段部３８，３９を介して軸心方向の両端に設けられ且つ止め具２１が先端側から圧入される細軸部４０，４１とを備え、この細軸部４０，４１に、止め具２１の係合片３３が係合する周方向の係合溝４２，４３が形成されている。
【００３１】
遊動ピン軸１９の一方側（図面では左側）の細軸部４０は、固定ピン軸１８の細軸部２４と同様に構成されている。従って、一方側の傾斜リンク１６は、軸心方向の内側の壁部４４に軸本体３７が貫通されると共に、外側の壁部４５に細軸部４０が貫通され、その外側の壁部４５に内側から段部３８が当接されている。そして一方側の止め具２１は、当接部３２が傾斜リンク１６の外側の壁部４５に外側からワッシャー３１を介して間接的に（又は直接）当接されると共に、その状態で係合片３３が係合溝４２に係合されている。
【００３２】
遊動ピン軸１９の他方側（図面では右側）の細軸部４１は、一方側とは異なり、所定寸法ａをおかずに段部３９に連続して又は段部３９の近傍に係合溝４３が形成され、その分だけ短寸に構成されている。また他方側の傾斜リンク１５は、遊動ピン軸１９の軸心方向の内側及び外側の各壁部４６，４７に軸本体３７が貫通されている。そして他方側の止め具２１は、当接部３２が傾斜リンク１５の外側の壁部４７に外側からワッシャー３１を介して間接的に（又は直接）当接されると共に、その状態で係合片３３が係合溝４３に係合されている。
【００３３】
従って、この実施形態の遊動ピン軸１９の結合構造では、一方側の傾斜リンク１６は、その外側の壁部４５が遊動ピン軸１９の段部３８と止め具２１の当接部３２とにより挟み込まれて、遊動ピン軸１９に対して回転不能又は回転困難であるのに対し、他方側の傾斜リンク１５は、外側の壁部４７にも軸本体３７が貫通されて、外側の壁部４７が遊動ピン軸１９の段部３９と止め具２１の当接部３２とにより挟み込まれていないため、遊動ピン軸１９に対して容易に回転できるようになっている。なお、他方側の細軸部４１では、止め具２１の当接部３２が傾斜リンク１５に圧接しないように係合溝４３を適宜配置すれば良い。
【００３４】
上記構成の伸縮門扉では、大きな外力の作用があった場合にも、縦桟１３、傾斜リンク１５，１６等の部材のガタツキの発生、部材間の間隔の変化等を少なくすることができる。
【００３５】
即ち、本実施形態の固定ピン軸１８の結合構造では、固定ピン軸１８の両端に止め具２１が圧入される細軸部２４を設け、この細軸部２４に止め具２１の係合片３３が係合する周方向の係合溝２５を形成しているので、固定ピン軸１８の所定位置に止め具２１を長期にわたって安定的に係合することができ、大きな外力が作用した際にも、止め具２１が固定ピン軸１８の先端側にずれたり、固定ピン軸１８から脱落したりする惧れを少なくできる。
【００３６】
また、固定ピン軸１８の両端側の段部２３を、各縦桟１３の開口２７と反対側の壁部２８に軸心方向の内側から当接するようにしているので、固定ピン軸１８と縦桟１３との相対移動を段部２３によっても規制することができ、止め具２１のみで規制するよりも強固にその相対移動を規制することができる。
【００３７】
固定ピン軸１８の段部２３と止め具２１の当接部３２とにより縦桟１３の開口２７と反対側の壁部２８を挟み込むようにしているので、固定ピン軸１８の細軸部２４に係合溝２５を設けたことと相俟って、前後縦桟１３間の間隔を一定に保持することができ、そのガタツキも押さえることができる。
【００３８】
また、本実施形態の遊動ピン軸１９の結合構造では、遊動ピン軸１９の両端に止め具２１が圧入される細軸部４０，４１を設け、この細軸部４０，４１に止め具２１の係合片３３が係合する周方向の係合溝４２，４３を形成しているので、遊動ピン軸１９の所定位置に止め具２１を長期間にわたって安定的に係合することができ、大きな外力が作用した際にも、止め具２１が遊動ピン軸１９の先端側にずれたり、遊動ピン軸１９から脱落したりする惧れを少なくでき、傾斜リンク１５，１６間の距離を略一定に保つことができる。
【００３９】
遊動ピン軸１９の一方側の段部３８を一方側の傾斜リンク１６の軸心方向の外側の壁部４５に内側から当接し、その壁部４５を段部３８と止め具２１の当接部３２とにより挟み込むようにしているので、一方側の傾斜リンク１６と遊動ピン軸１９との軸心方向への相対移動を規制でき、遊動ピン軸１９と傾斜リンク１５，１６との接触音の発生、ガタツキ等を押さえることができる。
【００４０】
他方側の傾斜リンク１５では、軸心方向の内側及び外側の壁部４６，４７に遊動ピン軸１９の軸本体３７を貫通し、外側の壁部４７を段部３９と止め具２１の当接部３２とにより挟み込まないようにしているので、一方側の傾斜リンク１６が遊動ピン軸１９に対して回転不能又は回転困難であるにもかかわらず、他方側の傾斜リンク１５を遊動ピン軸１９に対して回転可能にでき、扉体５の開閉に支障を来すこともない。
【００４１】
また、止め具２１に各ピン軸１８，１９の軸心方向の先端を外側から覆うキャップ部３０を設けているので、リベットで止めるようにした場合に比べて外観を良くできる。
【００４２】
更に、手により又は簡単な槌等を用いて止め具２１をピン軸１８，１９の端部に圧入するだけで良く、簡単に施工することができる。その際、細軸部２４，４０，４１の先端に先細り状のテーパー部２６を設けているので、止め具２１を容易に圧入することができる。
【００４３】
図８及び図９は本発明の第２の実施形態を例示している。この実施形態は、伸縮門扉の縦枠材９の前後一対の縦桟１３を下端部で連結する連結ピン軸５２の結合構造に、本発明のピン軸結合構造を適用したものである。
【００４４】
なお、本実施形態の伸縮門扉はパンタグラフ機構６が上下に一対設けられているが、その他は第１の実施形態と略同様に構成されている。なお、固定ピン軸１８及び遊動ピン軸１９の結合構造も、例えば第１の実施形態と略同様に構成されている。
【００４５】
本実施形態の連結ピン軸５２の結合構造は、図９（ｂ）に示すように、複数の部材としての縦桟１３及びスペーサー２０を結合するもので、軸心方向の外側の一対の縦桟１３と、その間に介在されたスペーサー２０とに連結ピン軸５２を貫通し、この連結ピン軸５２の両端に止め具２１を圧入したものである。
【００４６】
連結ピン軸５２は、第１の実施形態の固定ピン軸１８と略同様のものを使用し、また止め具２１も第１の実施形態と同様のものを使用している。従って、図３に示す固定ピン軸１８の結合構造と同様に、各縦桟１３の開口２７と反対側の壁部２８が、連結ピン軸５２の段部２３と止め具２１の当接部３２とにより挟み込まれ、その状態で、止め具２１の係合片３３が細軸部２４の係合溝２５に係合されている。
【００４７】
このように、本発明のピン軸結合構造を、前後一対の縦桟１３の下端部等の連結に使用しても良い。この場合、前後の縦桟１３間の寸法を長期間にわたって一定に保持することができ、また止め具２１を連結ピン軸の先端に圧入するだけの簡単な作業で連結することができる。なお、前後の縦桟１３間のスペーサー２０は設けなくても良い。
【００４８】
図１０及び図１１は、本発明の第３の実施形態を例示している。この実施形態は、水平リンク式の伸縮門扉の遊動ピン軸６０の結合構造に本発明のピン軸結合構造を適用したものである。
【００４９】
この水平リンク式の伸縮門扉は、吊り元側支柱５３と戸当たり側支柱５４との間に、上下一対の水平方向のパンタグラフ機構５５と、この一対のパンタグラフ機構５５を連結する複数の縦柱材５６とを有する扉体５７を備えたものである。
【００５０】
各パンタグラフ機構５５は、複数の上傾斜リンク５８及び下傾斜リンク５９を備え、上傾斜リンク５８と下傾斜リンク５９とがその交差部６４の適宜箇所で遊動ピン軸６０により結合されている。
【００５１】
この実施形態の遊動ピン軸６０の結合構造は、図１１に示すように、複数の部材としての傾斜リンク５８，５９及びスペーサー６１を結合するもので、軸心方向の外側の一対の傾斜リンク５８，５９と、その間に介在されたスペーサー６１とに遊動ピン軸６０を貫通し、この遊動ピン軸６０の両端に止め具２１を圧入したものである。なお、止め具２１は例えば第１の実施形態と同様のものを使用している。
【００５２】
遊動ピン軸６０も、第１の実施形態と略同様に、軸本体３７、段部３８，３９、細軸部４０，４１、係合溝４２，４３、テーパー部２６等を備え、一方側、例えば上側の段部３８が上傾斜リンク５８の上壁６２に下側から当接されると共に、他方側、例えば下傾斜リンク５９の下壁６３には軸本体３７が貫通されている。
【００５３】
このため、上傾斜リンク５８と遊動ピン軸６０とが強固に結合されて、遊動ピン軸６０と上傾斜リンク５８との接触音、ガタツキ等を軽減することができる。また、遊動ピン軸６０と上傾斜リンク５８とが回転不能又は回転困難であるにもかかわらず、遊動ピン軸６０と下傾斜リンク５９とが回転自在になっているので、扉体５７を抵抗なく円滑に伸縮させることができる。更に、止め具２１の係合片３３と遊動ピン軸６０の係合溝４２，４３との係合により、止め具２１のズレ、脱落等を防止することができる。
【００５４】
図１２は本発明の第４の実施形態を例示している。この実施形態は、他の実施形態と異なる形状の止め具４８を使用するものである。
【００５５】
この止め具４８は、各ピン軸１８，１９，５２，６０の細軸部２４，４０，４１の先端を軸心方向の外側から覆うキャップ部４９と、縦桟１３又は傾斜リンク１５，１６，５８，５９に直接又は間接的に外側から当接される当接部５０と、細軸部２４，４０，４１の係合溝２５，４２，４３に係合される係合片５１とを一体に備えている。この止め具４８はバネ用鋼により構成されているが、例えば合成樹脂材料により構成しても良い。
【００５６】
キャップ部４９は略有底円筒状で、その開口側に当接部５０及び係合片５１が設けられている。当接部５０は例えばピン軸１８，１９，５２，６０の軸心方向に略直交する平面部を有するリング状で、キャップ部４９の開口側の端部に、径方向の外側向きに連結されている。係合片５１は、当接部５０の径方向の中途部から径方向の内側向き且つピン軸１８，１９，５２，６０の先端側向きの斜め向きに屈曲状に突設されており、径方向に複数、例えば等間隔をおいて３個設けられている。
【００５７】
このように止め具２１，４８の形状は適宜変更可能であり、この実施形態の止め具４８も、他の実施形態の各ピン軸１８，１９，５２，６０の結合構造に使用可能である。なお、当接部５０が縦桟１３又は傾斜リンク１５，１６，５８，５９に当接した状態で、係合片５１が係合溝２５，４２，４３の先端側の隅に係合するように、当接部５０と係合片５１の先端との距離を考慮して、細軸部２４，４０，４１の適宜な位置に係合溝２５，４２，４３を形成すれば良い。
【００５８】
以上、本発明の各実施形態を例示したが、本発明は各実施形態に限定されるものではなく、本発明の趣旨を逸脱しない範囲で種々の変更が可能である。
【００５９】
実施形態では縦桟１３を断面コ字状に構成しているが、例えば断面矩形状の中空状又は肉厚の板状等に構成し、固定ピン軸１８及び連結ピン軸５２の段部２３が軸心方向の内側から縦桟１３に当接し、外側から止め具２１の当接部３２が当接するようにしても良い。従って、固定ピン軸１８又は連結ピン軸５２の各段部２３と止め具２１の当接部３２とにより、縦桟１３全体又はその壁部２８を挟み込んでいれば良い。なお、縦桟１３の形状は例示以外にも変更可能である。
【００６０】
実施形態では、遊動ピン軸１９，６０の一方側の段部３８が一方側の傾斜リンク１６，５８の軸心方向の外側の壁部４５，６２に内側から当接するようになっているが、傾斜リンク１６，５８の軸心方向の内側の壁部４４に内側から当接するようにしても良い。この場合、遊動ピン軸１９，６０の段部３８と止め具２１の当接部３２とにより傾斜リンク１６を挟み込むことになる。従って、遊動ピン軸１９，６０の一方側の段部３８と止め具２１の当接部３２とにより、一方側の傾斜リンク１６，５８全体又はその壁部４５，６２を挟み込んでいれば良い。傾斜リンク１５，１６，５８，５９の形状も、断面矩形状以外の中空状、又は適宜形状の中実状等、適宜変更可能である。
【００６１】
実施形態では、遊動ピン軸１９，６０の軸心方向の両側に止め具２１を圧入しているが、軸心方向の少なくとも一方側で、傾斜リンク１６，５８又はその壁部４５，５８を段部３８と当接部３２とにより挟み込むように構成していれば良い。従って、軸心方向の他方側の構成は適宜変更可能であり、例えば、遊動ピン軸１９，６０の他端部には細軸部４１を設けずに、軸本体３７よりも大径に構成され且つ他方側の傾斜リンク１５，５９に軸心方向の外側から当接される頭部を設け、その頭部により他方側の傾斜リンク１５，５９を規制しても良い。
【００６２】
なお、固定ピン軸１８及び連結ピン軸５２は、実施形態のように軸心方向の両側で段部２３と当接部３２とにより縦桟１３又はその壁部２８を挟み込むように構成することが望ましい。
【００６３】
なお、実施形態では本発明のピン軸結合構造を各種伸縮門扉に適用した場合を例示したが、本発明は、各種門扉、フェンス、カーポート等のエクステリア製品を含む各種屋外構造物、その他の各種構造物においても適用可能であることは言うまでもない。
【００６４】
【発明の効果】
本発明によれば、複数の部材１３，１５，１６，２０，５８，５９，６１にピン軸１８，１９，５２，６０を貫通し、該ピン軸１８，１９，５２，６０の端部に止め具２１，４８を圧入して前記複数の部材１３，１５，１６，２０，５８，５９，６１を結合するピン軸結合構造において、前記ピン軸１８，１９，５２，６０は、少なくとも一端に、該一端の部材１３，１６，５８に軸心方向の内側から略当接される段部２３，３８と、該段部２３，３８を介して軸心方向の先端に設けられ且つ前記止め具２１，４８が圧入される細軸部２４，４０とを備え、前記止め具２１，４８は、前記ピン軸１８，１９，５２，６０の軸心方向の先端を外側から覆うキャップ部３０，４９と、前記一端の部材１３，１６，５８に軸心方向の外側から略当接される当接部３２，５０と、径方向の内向きに突設された周方向に複数の係合片３３，５１とを備え、前記細軸部２４，４０に、前記係合片３３，５１が係合する周方向の係合溝２５，４２を形成しているので、容易に施工できるにもかかわらず、止め具２１，４８をピン軸１８，１９，５２，６０に確実に止めることができ、しかも、部材１３，１５，１６，２０，５８，５９，６１間の寸法を略一定に保持することができる。
【図面の簡単な説明】
【図１】（ａ）は本発明の第１の実施形態を示す伸縮門扉の平面図、（ｂ）はその正面図である。
【図２】本発明の第１の実施形態を示す固定ピン軸の結合構造の断面図である。
【図３】本発明の第１の実施形態を示す固定ピン軸の結合構造の要部拡大断面図である。
【図４】本発明の第１の実施形態を示す固定ピン軸の拡大図である。
【図５】本発明の第１の実施形態を示す止め具の裏面図である。
【図６】本発明の第１の実施形態を示す遊動ピン軸の結合構造の断面図である。
【図７】本発明の第１の実施形態を示す遊動ピン軸の拡大図である。
【図８】本発明の第２の実施形態を示す伸縮門扉の正面図である。
【図９】（ａ）は本発明の第２の実施形態を示す伸縮門扉の側面図、（ｂ）はその連結ピン軸の結合構造の断面図である。
【図１０】（ａ）は本発明の第３の実施形態を示す水平式伸縮門扉の平面図、（ｂ）はその正面図である。
【図１１】本発明の第３の実施形態を示す遊動ピン軸の結合構造の断面図である。
【図１２】（ａ）は本発明の第４の実施形態を示す止め具の断面図、（ｂ）はその裏面図である。
【符号の説明】
１３  縦桟
１５  右上がり傾斜リンク
１６  左上がり傾斜リンク
１８  固定ピン軸
１９  遊動ピン軸
２０  スペーサー
２１  止め具
２３  段部
２４  細軸部
２５  係合溝
３０  キャップ部
３２  当接部
３３  係合片
３８  段部
４０  細軸部
４２  係合溝
４８  止め具
４９  キャップ部
５０  当接部
５１  係合片
５２  連結ピン軸
５８  上傾斜リンク
５９  下傾斜リンク
６０  遊動ピン軸
６１  スペーサー
【図１】
2004190797.tif 000003
【図２】
2004190797.tif 000004
【図３】
2004190797.tif 000005
【図４】
2004190797.tif 000006
【図５】
2004190797.tif 000007
【図６】
2004190797.tif 000008
【図７】
2004190797.tif 000009
【図８】
2004190797.tif 000010
【図９】
2004190797.tif 000011
【図１０】
2004190797.tif 000012
【図１１】
2004190797.tif 000013
【図１２】
2004190797.tif 000014